(57)【要約】  ワイヤレス直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）システムおよび方法が、数が一致しないサブバンドキャリアグループを含む順方向および逆方向リンクキャリアを含む。逆方向リンクキャリアが、順方向リンクキャリアより数が少ないサブバンドキャリアからなるものであってもよく、逆方向リンクキャリアは、単一のサブバンドキャリアからなるものであってもよい。
2007511189.tif 000002
【特許請求の範囲】
【請求項１】
サブバンドキャリアの数が一致しないサブバンドキャリアグループを含む順方向および／または逆方向リンクキャリアを含む、ワイヤレス周波数分割多重および／または周波数分割多元接続（ＦＤＭ／ＦＤＭＡ）および／または直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）システム。
【請求項２】
前記逆方向リンクキャリアのサブバンドキャリアグループが、前記順方向リンクキャリアのサブバンドキャリアグループより少ないサブバンドキャリアからなる、請求項１に記載のワイヤレスシステム。
【請求項３】
前記逆方向リンクキャリアのサブバンドキャリアグループが、単一のサブバンドキャリアからなる、請求項２に記載のワイヤレスシステム。
【請求項４】
数が一致しないサブバンドキャリアグループを含む順方向および／または逆方向リンクキャリア上で、情報をワイヤレス移送するステップを含む、ワイヤレス周波数分割多重および／または周波数分割多元接続（ＦＤＭ／ＦＤＭＡ）および／または直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）方法。
【請求項５】
前記逆方向リンクキャリアのサブバンドキャリアグループが、前記順方向リンクキャリアのサブバンドキャリアグループより少ないサブバンドキャリアからなる、請求項４に記載のワイヤレス方法。
【請求項６】
前記逆方向リンクキャリアのサブバンドキャリアグループが、単一のサブバンドキャリアからなる、請求項５に記載のワイヤレス方法。
【請求項７】
順方向リンクのサブバンドキャリアグループからなる順方向リンクキャリアと、
サブバンドキャリアの数が順方向リンクキャリアのサブバンドキャリアグループのものと一致しない逆方向リンクのサブバンドキャリアグループからなる逆方向リンクキャリアとを含む、ワイヤレス周波数分割多重および／または周波数分割多元接続（ＦＤＭ／ＦＤＭＡ）および／または直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）システム。
【請求項８】
前記逆方向リンクキャリアが、前記順方向リンクキャリアより少ないサブバンドキャリアからなる、請求項７に記載のワイヤレスシステム。
【請求項９】
前記逆方向リンクキャリアが、単一のサブバンドキャリアからなる、請求項８に記載のワイヤレスシステム。
【請求項１０】
多数のサブバンドキャリアを含むサブバンドキャリアグループ上で、少なくとも１つのワイヤレスユーザデバイスに情報を移送する順方向リンクキャリアを放射するように構成されるとともに、サブバンドキャリアの数が順方向リンクキャリアのサブバンドキャリアグループのものと一致しない多数のサブバンドキャリアを含むサブバンドキャリアグループ上で、少なくとも１つのワイヤレスユーザデバイスからシステムデバイスへ情報を移送する逆方向リンクキャリアを受信するように構成されたトランシーバを含む、ワイヤレス周波数分割多重および／または周波数分割多元アクセス（ＦＤＭ／ＦＤＭＡ）システムデバイス。
【請求項１１】
前記逆方向リンクキャリアのサブバンドキャリアグループが、前記順方向リンクキャリアのサブバンドキャリアグループより少ないサブバンドキャリアからなる、請求項１０に記載のワイヤレスシステムデバイス。
【請求項１２】
前記逆方向リンクキャリアのサブバンドキャリアグループが、単一のサブバンドキャリアからなる、請求項１１に記載のワイヤレスシステムデバイス。
【請求項１３】
前記ワイヤレスＦＤＭ／ＦＤＭＡシステムデバイスが、ワイヤレス直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）システムデバイスを含む、請求項１０に記載のワイヤレスシステムデバイス。
【請求項１４】
多数のサブバンドキャリアを含むサブバンドキャリアグループ上で、少なくとも１つのワイヤレスシステムデバイスからワイヤレスユーザデバイスへ情報を移送する順方向リンクキャリアを受信するように構成されるとともに、サブバンドキャリアの数が順方向リンクキャリアのサブバンドキャリアグループのものと一致しない多数のサブバンドキャリアを含むサブバンドキャリアグループ上で、少なくとも１つのワイヤレスユーザデバイスから前記少なくとも１つのシステムデバイスへ情報を移送する逆方向リンクキャリアを送信するように構成されたトランシーバを含む、ワイヤレス周波数分割多重および／または周波数分割多元アクセス（ＦＤＭ／ＦＤＭＡ）ユーザデバイス。
【請求項１５】
前記逆方向リンクキャリアのサブバンドキャリアグループが、前記順方向リンクキャリアのサブバンドキャリアグループより少ないサブバンドキャリアからなる、請求項１４に記載のワイヤレスユーザデバイス。
【請求項１６】
前記逆方向リンクキャリアのサブバンドキャリアグループが、単一のサブバンドキャリアからなる、請求項１５に記載のワイヤレスユーザデバイス。
【請求項１７】
前記ＦＤＭ／ＦＤＭＡワイヤレスユーザデバイスが、ワイヤレス直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）ユーザデバイスを含む、請求項１４に記載のワイヤレスユーザデバイス。
【請求項１８】
ワイヤレス周波数分割多重および／または周波数分割多元接続（ＦＤＭ／ＦＤＭＡ）システムデバイスの動作方法であって、
サブバンドキャリアグループからなる順方向リンクキャリア上で、前記ワイヤレスシステムデバイスから少なくとも１つのワイヤレスユーザデバイスへユーザ情報をワイヤレス移送するステップと、
サブバンドキャリアの数が順方向リンクキャリアのサブバンドキャリアグループのものと一致しないサブバンドキャリアグループからなる逆方向リンクキャリア上で、少なくとも１つのワイヤレスユーザデバイスから前記ワイヤレスシステムへユーザ情報をワイヤレス移送するステップを含む、方法。
【請求項１９】
前記逆方向リンクキャリアのサブバンドキャリアグループが、前記順方向リンクキャリアのサブバンドキャリアグループより少ないサブバンドキャリアからなる、請求項１８に記載の方法。
【請求項２０】
前記逆方向リンクキャリアのサブバンドキャリアグループが、単一のサブバンドキャリアからなる、請求項１９に記載の方法。
【請求項２１】
前記ワイヤレスＦＤＭ／ＦＤＭＡシステムデバイスが、ワイヤレス直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）システムデバイスを含む、請求項１８に記載の方法。
【請求項２２】
ワイヤレス周波数分割多重および／または周波数分割多元接続（ＦＤＭ／ＦＤＭＡ）ユーザデバイスの動作方法であって、
サブバンドキャリアグループからなる順方向リンクキャリア上で、少なくとも１つのワイヤレスシステムデバイスから前記ワイヤレスユーザデバイスからへユーザ情報をワイヤレス移送するステップと、
サブバンドキャリアの数が順方向リンクキャリアのサブバンドキャリアグループのものと一致しないサブバンドキャリアグループからなる逆方向リンクキャリア上で、前記ワイヤレスユーザデバイスから少なくとも１つのワイヤレスシステムデバイスへユーザ情報をワイヤレス移送するステップを含む、方法。
【請求項２３】
前記逆方向リンクキャリアのサブバンドキャリアグループが、前記順方向リンクキャリアのサブバンドキャリアグループより少ないサブバンドキャリアからなる、請求項２２に記載の方法。
【請求項２４】
前記逆方向リンクキャリアのサブバンドキャリアグループが、単一のサブバンドキャリアからなる、請求項２３に記載の方法。
【請求項２５】
前記ワイヤレスＦＤＭ／ＦＤＭＡユーザデバイスが、ワイヤレス直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）ユーザデバイスを含む、請求項２２に記載の方法。
【請求項２６】
サブバンドキャリアの数が異なるサブバンドキャリアグループを含む複数の順方向および／または逆方向リンクキャリアを用いて通信を行うワイヤレスユーザデバイスおよびワイヤレスシステムデバイスを含む、ワイヤレス周波数分割多重および／または周波数分割多元接続（ＦＤＭ／ＦＤＭＡ）および／または直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）システム。
【請求項２７】
第１の逆方向リンクキャリアのサブバンドキャリアグループが、第２の逆方向リンクキャリアのサブバンドキャリアグループより少ないサブバンドキャリアからなる、請求項２６に記載のワイヤレスシステム。
【請求項２８】
第１の順方向リンクキャリアのサブバンドキャリアグループが、第２の順方向リンクキャリアのサブバンドキャリアグループより少ないサブバンドキャリアからなる、請求項２６に記載のワイヤレスシステム。
【請求項２９】
ワイヤレスシステムデバイスが、第１および／または第２の逆方向リンクキャリアのサブバンドキャリアグループを受信するように構成され、前記第１の逆方向リンクキャリアのサブバンドキャリアグループが、前記第２の逆方向リンクキャリアのサブバンドキャリアグループより少ないサブバンドキャリアからなる、請求項２６に記載のワイヤレスシステム。
【請求項３０】
ワイヤレスシステムデバイスが、第１および／または第２の順方向リンクキャリアのサブバンドキャリアグループを送信するように構成され、前記第１の順方向リンクキャリアのサブバンドキャリアグループが、前記第２の順方向リンクキャリアのサブバンドキャリアグループより少ないサブバンドキャリアからなる、請求項２９に記載のワイヤレスシステム。
【請求項３１】
ワイヤレスユーザデバイスが、第１および／または第２の順方向リンクキャリアのサブバンドキャリアグループを受信するように構成され、前記第１の順方向リンクキャリアのサブバンドキャリアグループが、前記第２の順方向リンクキャリアのサブバンドキャリアグループより少ないサブバンドキャリアからなる、請求項２６に記載のワイヤレスシステム。
【請求項３２】
ワイヤレスユーザデバイスが、第１および／または第２の逆方向リンクキャリアのサブバンドキャリアグループを送信するように構成され、前記第１の逆方向リンクキャリアのサブバンドキャリアグループが、前記第２の逆方向リンクキャリアのサブバンドキャリアグループより少ないサブバンドキャリアからなる、請求項３１に記載のワイヤレスシステム。
【請求項３３】
サブバンドキャリアの数が異なるサブバンドキャリアグループを含む複数の順方向および／または逆方向リンクキャリア上で、情報をワイヤレス移送するステップを含む、ワイヤレス周波数分割多重および／または周波数分割多元接続（ＦＤＭ／ＦＤＭＡ）および／またはワイヤレス直交周波数分割多重および／または直交周波数分割多元接続（ＯＦＤＭ／ＯＦＤＭＡ）および／または時分割−周波数分割多重および／または時分割−周波数分割多元接続（Ｔ−ＦＤＭ／Ｔ−ＦＤＭＡ）方法。
【請求項３４】
第１の逆方向リンクキャリアのサブバンドキャリアグループが、第２の逆方向リンクキャリアのサブバンドキャリアグループより少ないサブバンドキャリアからなる、請求項３３に記載のワイヤレス方法。
【請求項３５】
第１の順方向リンクキャリアのサブバンドキャリアグループが、第２の順方向リンクキャリアのサブバンドキャリアグループより少ないサブバンドキャリアからなる、請求項３３に記載のワイヤレス方法。
【発明の詳細な説明】
【技術分野】
【０００１】
［関連出願の相互参照］
本願は、「Ｔｉｍｅ−Ｆｒｅｑｕｅｎｃｙ  Ｄｉｖｉｓｉｏｎ  Ｍｕｌｔｉｐｌｅｘｉｎｇ（Ｔ−ＦＤＭ）ａｎｄ／ｏｒ  Ｏｒｔｈｏｇｏｎａｌ  ＦＤＭ（ＯＦＤＭ）Ｓｙｓｔｅｍｓ  ａｎｄ  Ｍｅｔｈｏｄｓ  Ｅｍｐｌｏｙｉｎｇ  Ｕｎｓｙｍｍｅｔｒｉｃａｌ  Ｓｕｂ−Ｂａｎｄ  Ｃａｒｒｉｅｒ  Ｇｒｏｕｐｉｎｇｓ」という発明の名称の２００３年８月２２日に出願された米国仮特許出願第６０／４９７，２６９号、および「Ｗｉｒｅｌｅｓｓ  Ｓｙｓｔｅｍｓ，Ｍｅｔｈｏｄｓ  ａｎｄ  Ｄｅｖｉｃｅｓ  Ｅｍｐｌｏｙｉｎｇ  Ｆｏｒｗａｒｄ−  ａｎｄ／ｏｒ  Ｒｅｔｕｒｎ−Ｌｉｎｋ  Ｃａｒｒｉｅｒｓ  Ｈａｖｉｎｇ  Ｄｉｆｆｅｒｅｎｔ  Ｎｕｍｂｅｒｓ  ｏｆ  Ｓｕｂ−Ｂａｎｄ  Ｃａｒｒｉｅｒｓ」という発明の名称の２００４年８月９日に出願された実用新案出願の利益を主張し、同出願の開示は、本明細書に全て示されているかのように、その全体が参照により本明細書に組み込まれる。
【０００２】
［発明の分野］
本発明は、通信システム、方法、およびデバイスに関し、さらに具体的には、ワイヤレス通信システム、方法、およびデバイスに関する。
【背景技術】
【０００３】
時分割−周波数分割多重および／または時分割−周波数分割多元接続（Ｔ−ＦＤＭ／Ｔ−ＦＤＭＡ：Ｔｉｍｅ−Ｆｒｅｑｕｅｎｃｙ  Ｄｉｖｉｓｉｏｎ  Ｍｕｌｔｉｐｌｅｘｉｎｇ／Ｔｉｍｅ−Ｆｒｅｑｕｅｎｃｙ  Ｄｉｖｉｓｉｏｎ  Ｍｕｌｔｉｐｌｅ  Ａｃｃｅｓｓ）、および直交周波数分割多重および／または直交周波数分割多元接続（ＯＦＤＭ／ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ／Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）システムおよび方法が、有線およびワイヤレス通信に広く使用されている。当業者に周知のように、Ｔ−ＦＤＭ／Ｔ−ＦＤＭＡおよびＯＦＤＭ／ＯＦＤＭＡは、周知の周波数分割多重および／または周波数分割多元接続（ＦＤＭ／ＦＤＭＡ：Ｆｒｅｑｕｅｎｃｙ  Ｄｉｖｉｓｉｏｎ  Ｍｕｌｔｉｐｌｅｘｉｎｇ／Ｆｒｅｑｕｅｎｃｙ  Ｄｉｖｉｓｉｏｎ  Ｍｕｌｔｉｐｌｅ  Ａｃｃｅｓｓ）通信技術の比較的最新の別形態である。一般的に、ＦＤＭ／ＦＤＭＡ通信システムおよび方法において、通信周波数バンドが、情報を送信するためにサブバンドキャリアが使用される多数の周波数サブバンドに分割される。従来のワイヤレスＦＤＭ／ＦＤＭＡシステムにおいて、サブバンドキャリアとユーザとの間には、１対１の関係があり（サブバンドキャリアが１人のユーザにのみ割り当てられる）、ユーザデバイスおよび／またはシステムデバイスが、キャリア当たり１つのサブバンドキャリアのみを放射してもよい。従来のＦＤＭ／ＦＤＭＡシステムの一例が、米国で継続的に使用されているアナログＡＭＰＳ移動体通信システムである。従来のＦＤＭ／ＦＤＭＡシステムの別の例が、移動体衛星事業者（ＭＳＶ：Ｍｏｂｉｌｅ  Ｓａｔｅｌｌｉｔｅ  Ｖｅｎｔｕｒｅｓ）によって現在運用されているＭ−ＳＡＴ移動体衛星システム（ＭＳＳ：Ｍｏｂｉｌｅ  Ｓａｔｅｌｌｉｔｅ  Ｓｙｓｔｅｍ）である。国際海事衛星機構（Ｉｎｍａｒｓａｔ）もまた、従来のＦＤＭ／ＦＤＭＡ技術によりＭＳＳサービスを提供している。
【０００４】
本明細書で使用する場合、周波数分割多重および／または周波数分割多元接続（ＦＤＭ／ＦＤＭＡ）とは、ひとまとめで１つのキャリアを規定する複数のサブバンドキャリアが存在してもよく、通信周波数バンド上に存在する可能性のある複数のサブバンドキャリアの少なくとも１つのサブバンドキャリアによってユーザの情報が運ばれてもよい多数の周波数サブバンドに、通信周波数バンドが分割された通信システム、方法、システムデバイス、および／またはユーザデバイスについて言及する。
【０００５】
１つのみのサブバンドキャリアと１人のユーザとの間に１対１の対応が存在し、ユーザデバイスおよび／またはシステムデバイスが、キャリア当たり１つのみのサブバンドキャリアを放射してもよい従来のＦＤＭ／ＦＤＭＡ通信システムおよび方法とは対照的に、本明細書において使用されるようなＦＤＭ／ＦＤＭＡ通信システムおよび方法、および／またはＯＦＤＭ／ＯＦＤＭＡおよび／またはＴ−ＦＤＭ／Ｔ−ＦＤＭＡ通信システムおよび方法において、１つのキャリアが、２つ以上のサブバンドキャリアを含むように規定されてもよく、ユーザに関連する情報が、２つ以上のサブバンドキャリアに関連（移送／搬送）されてもよい。ＯＦＤＭ／ＯＦＤＭＡ通信システムおよび方法において、１つのサブバンドキャリアによって移送／搬送される情報は、同一および／または異なるキャリアに属する任意の他のサブバンドキャリアによって搬送される情報に対して、受信機観察時間で、直交条件を維持するように調整されてもよい。このように、時間直交性に依存していることで、ＯＦＤＭ／ＯＦＤＭＡシステムおよび方法において、隣接するサブバンドキャリア間および／または隣接するキャリア間の周波数分離を最小限に抑えるために、サブバンドキャリアは、周波数において最大限に詰め込まれ得る。ＯＦＤＭ／ＯＦＤＭＡシステムおよび方法のこの特徴は、スペクトル効率を最大限にすることもあり、送信機および／または受信機での厳しい周波数領域フィルタリングが不要になることもある。対照的に、非ＯＦＤＭ／ＯＦＤＭＡシステムにおいて（ＦＤＭ／ＦＤＭＡおよび／またはＴ−ＦＤＭ／Ｔ−ＦＤＭＡシステムの場合のように）、異なるサブバンドキャリアおよび／または異なるキャリアによって搬送された信号を分離できる能力は、典型的に、サブバンドおよび／またはキャリアフィルタの周波数選択性によって達成される。サブバンドキャリアは、時間および／または周波数で複数のユーザ間でさらに多重されてもよく（時分割−周波数分割多重および／または時分割−周波数分割多元接続）、その結果、一般的なケースでは、周波数分割および時分割多重／多元接続（Ｔ−ＦＤＭ／Ｔ−ＦＤＭＡ）が組み合わされる。本明細書で使用する場合、ＯＦＤＭ／ＯＦＤＭＡは、同一および／または異なるキャリアの異なるサブバンドキャリアによって搬送された情報要素間に、時間直交条件が存在してもよい特別なケースのＴ−ＦＤＭ／Ｔ−ＦＤＭＡおよび／またはＦＤＭ／ＦＤＭＡを表すものであってもよいことを理解されたい。また、１つ以上のサブバンドキャリアで複数のユーザを多重させるために、符号分割多元接続（ＣＤＭＡ：Ｃｏｄｅ  Ｄｉｖｉｓｉｏｎ  Ｍｕｌｔｉｐｌｅ  Ａｃｃｅｓｓ）技術が使用されてもよい。
【０００６】
例えば、米国特許第６，６０３，７３４号、同第６，５６７，３７４号、同第６，３７７，５６６号、同第６，３４５，０３６号、同第６，１６０，７９１号、同第６，０２１，１１０号、および同第５，８８９，７５９号に、ＯＦＤＭシステムおよび方法が記載されている。また、ｉｅｃ．ｏｒｇでウェブ上で入手可能であり、Ｔｈｅ  Ｉｎｔｅｒｎａｔｉｏｎａｌ  Ｅｎｇｉｎｅｅｒｉｎｇ  Ｃｏｎｓｏｒｔｉｕｍによってウェブ上で公開されている「ＯＦＤＭ  ｆｏｒ  Ｍｏｂｉｌｅ  Ｄａｔａ  Ｃｏｍｍｕｎｉｃａｔｉｏｎｓ」というタイトルのチュートリアルに、ＯＦＤＭについて記載されている。ＯＦＤＭはまた、例えば、デジタル加入者線（ＤＳＬ：Ｄｉｇｉｔａｌ  Ｓｕｂｓｃｒｉｂｅｒ  Ｌｉｎｅ）技術の有線通信に使用される。また、ＤＳＬサービスに非対称データレートを与えるために、非対称型ＤＳＬ（ＡＤＳＬ：Ａｓｙｍｍｅｔｒｉｃａｌ  ＤＳＬ）が使用される。例えば、ＤＳＬ  Ｆｏｒｕｍ，２００１によって公開されている「ＡＤＳＬ  Ｔｕｔｏｒｉａｌ」を参照されたい。
【発明の開示】
【０００７】
本発明の実施形態により、順方向リンクと逆方向リンクとの間に非対称式に、キャリアを規定するサブバンドキャリアのグループが与えられる、ワイヤレスＴ−ＦＤＭ／Ｔ−ＦＤＭＡおよび／またはＯＦＤＭ／ＯＦＤＭＡシステム、方法および／またはデバイスなどのワイヤレスＦＤＭ／ＦＤＭＡシステム、方法および／またはデバイスが提供される。さらに、いくつかの実施形態において、異なる順方向リンクキャリアが、異なる数のサブバンドキャリアを含んでもよく、異なる逆方向リンクが、異なる数のサブバンドキャリアを含んでもよい。本明細書において使用する場合、順方向リンクとは、ワイヤレスシステムデバイスからワイヤレスユーザデバイスへユーザ情報を移送するワイヤレスリンクであり、逆方向リンクとは、ワイヤレスユーザデバイスからワイヤレスシテムデバイスへユーザ情報を移送するワイヤレスリンクである。
【０００８】
さらに、いくつかの実施形態において、逆方向リンクキャリアは、対応する順方向リンクキャリアより少ないサブバンドキャリアからなる。さらなる他の実施形態において、逆方向リンクキャリアは、単一のサブバンドキャリアからなる。また、類似のワイヤレスユーザデバイス、システムデバイスおよびワイヤレスユーザデバイスおよびワイヤレスシステムデバイスの動作方法が提供されてもよい。
【発明を実施するための最良の形態】
【０００９】
以下、本発明の実施形態が示された添付の図面を参照しながら、本発明についてさらに詳細に記載する。しかしながら、本発明は、多数の異なる形態で実施されてもよく、本明細書に示す実施形態に限定されるものと解釈されるべきではない。むしろ、これらの実施形態は、本開示が完璧かつ完全になるように、本発明の範囲を当業者に完全に伝えるように提供される。全体を通して、同様の番号は、同様の要素を指す。
【００１０】
本明細書において、様々な要素について記載するために、第１および第２という用語を使用するが、これらの要素は、これらの用語によって限定されるべきではないことを理解されたい。これらの用語は、１つの要素と別の要素とを区別するためだけに使用される。従って、本発明の教示から逸脱しなければ、以下の第１の要素を第２の要素と呼んでもよく、同様に、第２の要素を第１の要素と呼んでもよい。本明細書において使用する場合、「および／または」という用語は、関連する列挙したアイテムの１つ以上の任意のものおよび全ての組み合わせを含む。記号「／」もまた、「および／または」の略記として使用される。さらに、本明細書において使用する場合、単数形「ａ」、「ａｎ」、および「ｔｈｅ」は、特段の明記がない限り、複数形も同様に含むことが意図されている。本明細書において使用する場合、「含む（ｃｏｍｐｒｉｓｅｓ）」および／または「含む（ｃｏｍｐｒｉｓｉｎｇ）」という用語は、明言した特徴、整数、ステップ、動作、要素、および／またはコンポーネントの存在を指定するが、１つ以上の他の特徴、整数、ステップ、動作、要素、コンポーネント、および／またはグループの存在または追加を排除するものではないことをさらに理解されたい。対照的に、本明細書において使用する場合、「〜からなる（ｃｏｎｓｉｓｔｉｎｇ  ｏｆ）という用語は、明言した数のサブバンドキャリアを指定し、追加のサブバンドキャリアを排除する。
【００１１】
本発明の実施形態によるワイヤレスＴ−ＦＤＭ／Ｔ−ＦＤＭＡおよび／またはＯＦＤＭ／ＯＦＤＭＡ通信システム、方法、および／またはデバイスなどのワイヤレスＦＤＭ／ＦＤＭＡ通信システム、方法、および／またはデバイスは、順方向および／または逆方向リンクキャリア間で非対称的に設けられたサブバンドキャリアグループを含む通信プロトコルに応じて動作する。図１および図２に示すように、順方向リンクキャリア１１０が、Ｎ個のサブバンドキャリア１１２のグループからなるのに対して、対応する逆方向リンクキャリア１２０は、Ｍ個のサブバンドキャリア１２２のグループからなり、この場合、ＭはＮより小さい（Ｍ＜Ｎ）。Ｎ個のサブバンドキャリア１１２のグループからなる順方向リンクキャリアは、地上基地局１３０（図１）および／または衛星２３０（図２）などのワイヤレスシステムデバイスからワイヤレスユーザデバイス１４０へ情報を送信するために使用されるのに対して、Ｍ個のサブバンドキャリア１２２のグループからなる逆方向リンクキャリアは、ワイヤレスユーザデバイス１４０からワイヤレスシステムデバイス１３０および／または２３０へ情報を送信するために使用される。ワイヤレスユーザデバイス１４０およびワイヤレスシステムデバイス１３０および／または２３０が、これらのキャリアを送受信するために構成されたトランシーバ（送信機／受信機）を含んでもよいことを理解されたい。
【００１２】
本明細書において使用する場合、「ワイヤレスユーザデバイス」１４０という用語は、マルチラインディスプレイの有無に関わらない携帯および／または衛星ワイヤレス電話、ワイヤレス電話と、データ処理、ファクシミリ、および／またはデータ通信機能とを組み合わせたものであってもよいパーソナル通信システム（ＰＣＳ：Ｐｅｒｓｏｎａｌ  Ｃｏｍｍｕｎｉｃａｔｉｏｎｓ  Ｓｙｓｔｅｍ）端末、ワイヤレス周波数トランシーバおよびポケベル、インターネット／イントラネットアクセス、ウェブブラウザ、システム電子手帳、カレンダー、および／または全地球測位システム（ＧＰＳ）受信機を含み得るパーソナルデジタルアシスタント（ＰＤＡ：Ｐｅｒｓｏｎａｌ  Ｄｉｇｉｔａｌ  Ａｓｓｉｓｔａｎｔｓ）、および／または従来のラップトップおよび／またはパームトップコンピュータまたはワイヤレス周波数トランシーバを含む他の機器を含む。本明細書において使用する場合、「ワイヤレスユーザデバイス」１４０という用語は、時変または固定の地理的座標を有してもよく、携帯可能であり、輸送可能であり、乗り物（航空、海事、または陸上用）に搭載され、または設置され、および／または局所的におよび／または地球上および／または宇宙の任意の他の場所で分布させて動作するように構成されてもよい任意の他の放射ユーザデバイス／機器／ソースを含む。また、「ワイヤレス端末」、「ワイヤレス電話」、または単なる「端末」という用語は、ワイヤレスユーザデバイスという用語と同じ意味を伝えるために使用されてもよい。さらに、本明細書において使用する場合、「ワイヤレスシステムデバイス」という用語は、少なくとも１つのワイヤレスユーザデバイスに情報をワイヤレス送信する目的で、電磁エネルギーを放射するように構成されたシステム機器の任意の組み合わせ（基地局１３０および／または衛星２３０などの非エンドユーザ機器）を含む。
【００１３】
さらに、本明細書において使用する場合、地上基地局１３０が、従来の携帯基地局および／または補助地上コンポーネント（ＡＴＣ：Ａｎｃｉｌｌａｒｙ  Ｔｅｒｒｅｓｔｒｉａｌ  Ｃｏｍｐｏｎｅｎｔ）を含む。ＡＴＣについては、「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ」という発明の名称のＫａｒａｂｉｎｉｓの米国特許第６，６８４，０５７号、および「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ」という発明の名称のＫａｒａｂｉｎｉｓの米国特許出願公開第２００３／００５４７６０号、「Ｓｐａｔｉａｌ  Ｇｕａｒｄｂａｎｄｓ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」という発明の名称のＫａｒａｂｉｎｉｓの米国特許出願公開第２００３／００５４７６１号、「Ｓｙｓｔｅｍｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」という発明の名称のＫａｒａｂｉｎｉｓ  ｅｔ  ａｌ．の米国特許出願公開第２００３／００５４８１４号、「Ｍｕｌｔｉ−Ｂａｎｄ／Ｍｕｌｔｉ−Ｍｏｄｅ  Ｓａｔｅｌｌｉｔｅ  Ｒａｄｉｏｔｅｌｅｐｈｏｎｅ  Ｃｏｍｍｕｎｉｃａｔｉｏｎｓ  Ｓｙｓｔｅｍｓ  ａｎｄ  Ｍｅｔｈｏｄｓ」という発明の名称のＫａｒａｂｉｎｉｓの米国特許出願公開第２００３／００５４７６２号、「Ｗｉｒｅｌｅｓｓ  Ｃｏｍｍｕｎｉｃａｔｉｏｎｓ  Ｓｙｓｔｅｍｓ  ａｎｄ  Ｍｅｔｈｏｄｓ  Ｕｓｉｎｇ  Ｓａｔｅｌｌｉｔｅ−Ｌｉｎｋｅｄ  Ｒｅｍｏｔｅ  Ｔｅｒｍｉｎａｌ  Ｉｎｔｅｒｆａｃｅ  Ｓｕｂｓｙｓｔｅｍｓ」という発明の名称のＫａｒａｂｉｎｉｓの米国特許出願公開第２００３／０１５３２６７号、「Ｓｙｓｔｅｍｓ  ａｎｄ  Ｍｅｔｈｏｄｓ  ｆｏｒ  Ｒｅｄｕｃｉｎｇ  Ｓａｔｅｌｌｉｔｅ  Ｆｅｅｄｅｒ  Ｌｉｎｋ  Ｂａｎｄｗｉｄｔｈ／Ｃａｒｒｉｅｒｓ  Ｉｎ  Ｃｅｌｌｕｌａｒ  Ｓａｔｅｌｌｉｔｅ  Ｓｙｓｔｅｍｓ」という発明の名称のＫａｒａｂｉｎｉｓの米国特許出願公開第２００３／０２２４７８５号、「Ｃｏｏｒｄｉｎａｔｅｄ  Ｓａｔｅｌｌｉｔｅ−Ｔｅｒｒｅｓｔｒｉａｌ  Ｆｒｅｑｕｅｎｃｙ  Ｒｅｕｓｅ」という発明の名称のＫａｒａｂｉｎｉｓ  ｅｔ  ａｌ．の米国特許出願公開第２００２／００４１５７５号、「Ｉｎｔｅｇｒａｔｅｄ  ｏｒ  Ａｕｔｏｎｏｍｏｕｓ  Ｓｙｓｔｅｍ  ａｎｄ  Ｍｅｔｈｏｄ  ｏｆ  Ｓａｔｅｌｌｉｔｅ−Ｔｅｒｒｅｓｔｒｉａｌ  Ｆｒｅｑｕｅｎｃｙ  Ｒｅｕｓｅ  Ｕｓｉｎｇ  Ｓｉｇｎａｌ  Ａｔｔｅｎｕａｔｉｏｎ  ａｎｄ／ｏｒ  Ｂｌｏｃｋａｇｅ，Ｄｙｎａｍｉｃ  Ａｓｓｉｇｎｍｅｎｔ  ｏｆ  Ｆｒｅｑｕｅｎｃｉｅｓ  ａｎｄ／ｏｒ  Ｈｙｓｔｅｒｅｓｉｓ」という発明の名称のＫａｒａｂｉｎｉｓ  ｅｔ  ａｌ．の米国特許出願公開第２００２／００９０９４２号、「Ｓｐａｃｅ−Ｂａｓｅｄ  Ｎｅｔｗｏｒｋ  Ａｒｃｈｉｔｅｃｔｕｒｅｓ  ｆｏｒ  Ｓａｔｅｌｌｉｔｅ  Ｒａｄｉｏｔｅｌｅｐｈｏｎｅ  Ｓｙｓｔｅｍｓ」という発明の名称のＫａｒａｂｉｎｉｓ  ｅｔ  ａｌ．の米国特許出願公開第２００３／００６８９７８号、「Ｆｉｌｔｅｒｓ  ｆｏｒ  Ｃｏｍｂｉｎｅｄ  Ｒａｄｉｏｔｅｌｅｐｈｏｎｅ／ＧＰＳ  Ｔｅｒｍｉｎａｌｓ」という発明の名称のＫａｒａｂｉｎｉｓの米国特許出願公開第２００３／０１４３９４９号、「Ｓｔａｇｇｅｒｅｄ  Ｓｅｃｔｏｒｉｚａｔｉｏｎ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」という発明の名称のＫａｒａｂｉｎｉｓの米国特許出願公開第２００３／０１５３３０８号、および「Ｍｅｔｈｏｄｓ  ａｎｄ  Ｓｙｓｔｅｍｓ  ｆｏｒ  Ｍｏｄｉｆｙｉｎｇ  Ｓａｔｅｌｌｉｔｅ  Ａｎｔｅｎｎａ  Ｃｅｌｌ  Ｐａｔｔｅｒｎｓ  Ｉｎ  Ｒｅｓｐｏｎｓｅ  ｔｏ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」という発明の名称のＫａｒａｂｉｎｉｓの米国特許出願公開第２００３／００５４８１５号に記載されており、これらは全て、本発明の譲受人に譲渡され、これら全ての開示は、本明細書に全て示されているかのように、それらの全体が参照により本明細書に組み込まれる。
【００１４】
順方向リンク１１０または逆方向リンク１２０のいずれかのキャリアのサブバンドキャリアが占める帯域幅は、同一または他の順方向および／または逆方向リンクキャリアの任意の他のサブバンドキャリアが占める帯域幅と一致し、実質的に一致し、または異なるものであってもよい。逆方向リンクサブバンドキャリア１２２が、フレーム構造を有してもよく、時分割多重および／または時分割多元接続（ＴＤＭ／ＴＤＭＡ）、符号分割多重および／または符号分割多元接続（ＣＤＭ／ＣＤＭＡ）、周波数分割多重および／または周波数分割多元接続（ＦＤＭ／ＦＤＭＡ）、および／または任意の他の多重／多元接続の原理に基づいたものであってもよい。順方向リンクサブバンドキャリア１１２が、フレーム構造を有してもよく、時分割多重および／または時分割多元接続（ＴＤＭ／ＴＤＭＡ）、符号分割多重および／または符号分割多元接続（ＣＤＭ／ＣＤＭＡ）、周波数分割多重および／または周波数分割多元接続（ＦＤＭ／ＦＤＭＡ）、および／または任意の他の多重／多元接続技術をサポートしてもよい。使用されるサブバンドキャリア変調は、同一および／または異なる順方向リンク１１０および／または逆方向リンク１２０のキャリアのサブバンドキャリア間で一致し、実質的に一致し、または異なるものであってもよい。サブバンドキャリアに関連付けられたものであってもよいボコーダが、同一および／または異なる順方向リンク１１０および／または逆方向リンク１２０のキャリアの任意の他のサブバンドキャリアに関連付けられたものであってもよいボコーダと一致、実質的に一致、または異なるものであってもよい。同様に、サブバンドキャリアの情報を保護するために使用されてもよい前進型誤信号訂正コーディング（ＦＥＣ：Ｆｏｒｗａｒｄ  Ｅｒｒｏｒ  Ｃｏｒｒｅｃｔｉｏｎ  Ｃｏｄｉｎｇ）および／またはインタリービングは、同一および／または異なる順方向リンク１１０および／または逆方向リンク１２０キャリアの任意の他のサブバンドキャリアの情報を保護するために使用されてもよいＦＥＣおよび／またはインタリービングと一致、実質的に一致、または異なるものであってもよい。
【００１５】
本発明のいくつかの実施形態によれば、逆方向リンクキャリア（サブバンドキャリアグループ）当たりのサブバンドキャリア１２２の数は、１に等しくされ（Ｍ＝１）、全て、または実質的に全てのサブバンドキャリアフレームは、１つのワイヤレスユーザデバイス１４０に割り当てられる。これにより、ワイヤレスユーザデバイス１４０は、時間的に継続的または実質的に継続的に、システムへ情報を送信でき、ワイヤレス受信機のＥb／Ｎ0動作点を増大または最大にでき、および／または複数のサブバンドキャリアからなり、および／または送信フレームが複数のユーザによって共有される逆方向リンクキャリアに対して、送信デバイスの出力を低減または最小にできる。ワイヤレス通信システムおよび方法、特に、衛星システムおよび方法にこれらの実施形態を適用することで、このようなシステムおよび方法は、逆方向リンクのリンク信頼性（リンクマージン）を高めて動作出来ることもある。
【００１６】
本発明のいくつかの実施形態によれば、第１の逆方向リンクキャリアのサブバンドキャリア１２２の数は、第２の逆方向リンクキャリアのサブバンドキャリア１２２の数と異なり、および／または第１の順方向リンクキャリアのサブバンドキャリア１１２の数は、第２の順方向リンクキャリアのサブバンドキャリア１１２の数と異なる。言い換えれば、本発明のいくつかの実施形態において、Ｎは、順方向リンクの異なる順方向リンクキャリアの間で変動し得るものであり、および／またはＭは、逆方向リンクの異なる逆方向リンクキャリアの間で変動し得るものである。本発明のこの態様は、システムが利用可能な周波数バンドが、複数の非連続的な周波数セグメントを含んでもよいシステム（例えば、Ｌバンドシステム）において、スペクトル利用および／またはスペクトル効率を最大化し、または高めるために使用されてもよい。
【００１７】
図面および本明細書において、本発明の実施形態が開示されており、特定の用語を用いているが、これらの用語は、一般的かつ説明的な意味でのみ使用されたものであって、制限を目的としたものではなく、本発明の範囲は、特許請求の範囲に説明されている。
【図面の簡単な説明】
【００１８】
【図１】本発明の１つの実施形態による、ワイヤレスＴ−ＦＤＭ／Ｔ−ＦＤＭＡおよび／またはＯＦＤＭ／ＯＦＤＭＡシステム、方法、システムデバイス、ユーザデバイス、およびその動作方法の構成図である。
【図２】本発明の別の実施形態による、ワイヤレスＴ−ＦＤＭ／Ｔ−ＦＤＭＡおよび／またはＯＦＤＭ／ＯＦＤＭＡシステム、方法、システムデバイス、ユーザデバイス、およびその動作方法の構成図である。
【図１】
2007511189.tif 000003
【図２】
2007511189.tif 000004
【国際調査報告】
2007511189.tif 000005